(57)【要約】                                                                        【課題】花の小売店等における鉢植え等のラッピングの作業を軽減するとともに、手提げ及び装飾機能を備えたラッピングシートを提供する。                                【解決手段】中心部４から放射状に設けられた折り目５と、円状に複数配設された紐孔２とを具備する外周端部を装飾形状化した円形、又は多角形のシートＡ、Ｂを、前記各紐孔２がそれぞれ連通するように重ね合わせ、前記重ね合ったシートＡ、Ｂの表面と裏面を交互に入れ替わるように前記連通した各紐孔２に一対の装飾用紐６、７をそれぞれ挿通した。                                                                              【選択図】図６
0003152112.tif 000002
【実用新案登録請求の範囲】
【請求項１】
中心から放射状に設けられた折り目と、任意の位置に複数配列された紐孔とを具備する外周端部を装飾形状化した円形、又は多角形の一枚のシートと、前記シートの表面と裏面を交互に入れ替わるように前記紐穴にそれぞれ挿通される一対の紐とから構成されていることを特徴とする容器用手提付ラッピングシート。    
【請求項２】
中心から放射状に設けられた折り目と、任意の位置に複数配列された紐孔とを具備する外周端部を装飾形状化した円形、又は多角形の複数枚のシートと、前記シートの表面と裏面を交互に入れ替わるように前記紐穴にそれぞれ挿通される一対の紐とから構成されていることを特徴とする容器用手提付ラッピングシート。    
【請求項３】
前記紐孔は、円形かつ左右対称に配列されていることを特徴とする請求項１又は２に記載の容器用手提付ラッピングシート。    
【請求項４】
前記複数枚のシートは、２枚であることを特徴とする請求項２又は３に記載の容器用手提付ラッピングシート。     
【請求項５】
前記複数枚のシートは、少なくとも１枚が防水加工されていることを特徴とする請求項２、３または４のいずれか１項に記載の容器用手提付ラッピングシート。
【考案の詳細な説明】
【技術分野】
【０００１】
本考案は、鉢植えを始めとする花瓶、その他植物類を植える容器に使用するラッピングシートに関する。
【背景技術】
【０００２】
花を販売する小売店において鉢植えをラッピングする際、包装資材のカットや飾り付けにおいて、個々の店員の技量によって見栄えに差が生じることや、作業効率の向上、コストの低減を図る上で、最初からカット、装飾を施してセット化し、簡易に鉢や花束を包装できるようにしたラッピングシートが用いられるようになり、これらについては下記の特許文献のように種々開発されている。
【先行技術文献】
【特許文献】
【０００３】
【特許文献１】実用新案登録第３１２００９０号公報上記特許文献に係る考案は、複数に重ねた角型のシートを折り込むことによって、鉢の底部を収納する部分と装飾する部分を形成し、前記収納部分に鉢を収納して簡素な装飾を行うラッピングシートであり、小売の際の包装用に用いるものである。
【０００４】
しかし、上記文献に係るラッピングシートは植木鉢を持ち帰るまでの防水、汚れ、破損を防止するのが主たる目的に留まり、購入者が持ち帰る際には該ラッピングシートに加えて別途取手部分のあるビニール袋に入れることを要し、また、植木鉢に固定させるには包装した後にリボンやコードで結ぶ必要があり、ラッピングの手間は依然残っていた。さらに、植木鉢を室内等のいずれかに載置する際にはこのようなラッピングシートは原則として取り外し、その後も装飾として用いることはほとんどない、いわゆる使い捨て用の物となっていた。  
【０００５】
さらに、鉢には号単位のサイズが存在するが、上記文献に係るラッピングシートでは、係るラッピングシートは織り込みにより各号のサイズ毎に合わせた収納部を折り込まなければならない。また、一つのシートで数号分のサイズをまかなうことはできない。また、防水を目的とするため、複数のシートの内いずれか一枚は防水対策のシートを重ねて用いるが、この「重ね」の手段は接着であり、例え現在の技術において接着が容易であるとしても生産段階においてこのような余分な工程は削除した方が生産効率は良い。
【考案の概要】
【考案が解決しようとする課題】
【０００６】
本考案は、上記のような問題を解決すべく考案されたもので、紐を通すための紐孔を円周状に複数配置した原則として円形、又は多角形の複数枚のシートに対して、手提可能程度の強度を有する装飾紐を各孔に連通させた構造とすることにより、従来のラッピングシートの効果である鉢の収納、装飾、防水に加え、紐部を鉢に結んだ後、余りの長さの部分を手提として用いるラッピングシートを提供するものである。
【課題を解決するための手段】
【０００７】
上記目的を達成するために、本考案に係る容器用手提付ラッピングシートは、中心から放射状に設けられた折り目と、任意の位置に複数配列された紐孔とを具備する外周端部を装飾形状化した円形、又は多角形の一枚のシートと、前記シートの表面と裏面を交互に入れ替わるように前記紐穴にそれぞれ挿通される一対の紐とから構成されていることを特徴とするものである。  
【０００８】
また、本考案は、中心から放射状に設けられた折り目と、任意の位置に複数配列された紐孔とを具備する外周端部を装飾形状化した円形、又は多角形の複数枚のシートと、前記シートの表面と裏面を交互に入れ替わるように前記紐穴にそれぞれ挿通される一対の紐とから構成されていることを特徴とするものである。  
【０００９】
さらに、本考案に係る容器用手提付ラッピングシートは、前記紐孔が、円形かつ左右対称に配列されていることを特徴とするものである。  
【００１０】
さらにまた、本考案に係る容器用手提付ラッピングシートは、前記複数枚のシートが、２枚であることを特徴とするものである。  
【００１１】
また、本考案に係る容器用手提付ラッピングシートは、前記複数枚のシートのうち少なくとも１枚が防水加工されていることを特徴とするものである。
【考案の効果】
【００１２】
本考案は、上記の如く構成されているので、ラッピング技術に左右されず、誰もが同じ外観に仕上げることができるほか、手提げ袋として用いることができる。また、通常は別個にリボン等の紐状の装飾を加工、取り付けする必要があるが本考案に係るラッピングシートは装飾を兼ねた紐が常備されているので、ラッピングがより迅速なものになる。さらに、本考案に係るラッピングシートは、容器を包み込んでその容器の外形に合わせて収納部を完成させる方式であるため、植木鉢のみならず、花瓶、皿等の類似する形態の容器にも利用することができ、シートで包み込める範囲内のものであれば包み込む容器の形状に関係なく用いることができる。同様に、紐を縛る位置にはある程度の自由があるため、鉢等の容器を収納した後、号単位のサイズに束縛されずに用いることができる。また、鉢等を収納した場合、無数のしわが表面に表れる状態となるため装飾的効果が大変高く、持ち帰り時という一時的な使用に留まらず、その後も室内等に載置する際、ラッピングされた状態のままで鉢等の装飾として用いることができる。さらにまた、ラッピングシートに設けられた紐孔に新たに紐等を追加してこれらを組み合わせることにより、係る組み合わせた紐を鉢等のハンガーとして用いることができるため、室内、室外においてスタンド等に結びつけて空中ガーデニングを楽しめる。また、本考案に係るラッピングシートは裁断した数枚のシートを重ねて紐で固定するという構造であるため、接着個所を有しないことから生産も容易に行える。
【考案を実施するための形態】
【００１３】
以下、本考案の実施形態につき、添付図面を参照して詳細に説明する。
【実施例１】
【００１４】
図１は本考案に係るラッピングシートのシート部Ａを表したものである。図１において１は外周装飾部、２は紐孔、３は手提用紐孔、４は折り目中心部、５は折り目を示している。シート部Ａは、鉢等の容器の本件考案の主要分を構成するシートで、鉢等の容器を包んだ場合、これらの外形に沿った形状に自由に変形する。この際、無数のしわを伴って包装としての装飾美を発揮する。本シート部Ａは、基本的に円形の形状からなり、これに近い形状の６角形や８角形の多角形にしてもよい。また、その外周端部には外周装飾部１を備えている。この外周装飾部１は、シートのカッティングの際に形成されるもので、本実施例においては波型に施されているが、各種の装飾的な形状が含まれる。また、このようなシートで包む方式であるため、シート部Ａで包み込める大きさの鉢等の容器であれば原則としてラッピングすることができる。
【００１５】
材質は原則として不織布を主としており、鉢等を包装した場合、外部からの衝撃を吸収、緩和し、内部の鉢等の破損を防止する。その他、ちぎれ、切り裂きに対して耐久力を有する材料によるシートも含まれる。前記説明に記載したように、本シート部Ａは、装飾を兼ねることもできるため、前提として全体にオレンジ、紫、緑等の各色彩を有するものであることが望ましい。また、その他の色彩模様、立体的模様を必要に応じて付することもでき、紐孔２を境にして、該紐孔２から上部は唐草等の立体的模様とし、下部は色彩模様と分けることもできる。
【００１６】
紐孔２は、装飾紐６、及び７を連通させるためのもので、本実施例における紐孔２は、図１によるように折り目中心部４を中心として円状に配列されており、鉢等の容器に対して結び目の高さを規定する。手提用紐孔３は、紐の取手部分に該当し、図１においては二つの孔を一対のものとして用い、これと対称の位置にもう１箇所設けられている。該紐孔３から引き出された紐が手提部９となるとともに、紐の他の部分が鉢等の容器に引き締めることとなる。なお、手提用紐孔３は、本実施例においては別個に設けられているが、特段に設けなくとも各紐孔２間から紐を引き出せばある程度同様の効果を発揮できるので、必ずしも必要となるものではない。また、各紐孔２は、規則的に配列される必要はなく、任意の場所に複数設け、紐を通す際に選択するようにしても良い。なお、各紐孔２はそれぞれ対称に形成されていることが望ましい。
【００１７】
本考案に係るラッピングシートは、折り目中心部４、及び、折り目５を具備し、折り目中心部４は鉢等を収納する際、鉢の中心とラッピングシートの中心を合わせるための目印となる。折り目５は折り目に沿って折り込むと扇形状に折り畳むことができるように施されており、本実施例では図５に示すように８分の１の扇形状になるように折り目５が施されている。これによって普段はコンパクトに折り畳んで保存することができる。この折り目の本数は任意である。係る折り目５は、鉢等の容器を収納する際のしわ目にもなるため、紐孔２の施し位置によっては全体の装飾的効果に大きく影響を与える。そのため、紐孔２を折り目５に沿って設けたり、逆に折り目５とは無関係に施すことにより、全体のしわの構成に変化を与えることができ、目的によって調整する。
【００１８】
装飾紐６及び７は、図３及び図４に示すように、表面と裏面で交互に入れ替わるように紐穴２にそれぞれ挿通されていて、双方の手提用紐孔３から出ている手提部９はそれぞれ別個の装飾紐６、７となっている。そして、手提部９を引っ張ると、シートＡは袋状になって装飾紐６、７が引き締まり、中に鉢植えがある場合には、それと固定される。
【００１９】
本考案に係るラッピングシートは、前記のシート一枚でも完成することができるが、目的を異にする他のシートを重ねて複数枚で完成することもできる。  図２において、シート部Ｂは防水を目的としたフィルムシートであり、前記シート部Ａと２枚重ねて使用することにより、鉢植えの水漏れに対する防水効果を発揮し、輸送中でも水が漏れて衣服等を汚すことはない。当該シートＢには、シートＡと同位置に紐孔２が設けられていて、複数枚のシートの重ね合わせによる一体化は装飾紐６、及び７の２本の紐による結びつけにより行い、両者を接着剤を用いて接着するようなことは要しない。図３は、２枚のシートが結びつけられている様子を示したものであり、１枚の場合と比べ装飾紐６及び７のシートへの取り付けが特に変わるものではない。図中、８は装飾紐６及び７がそれぞれ交差する交差部を表したものである。
【００２０】
このような結びつけにより、目的を異にする複数のシートを容易に重ね合わせることができ、例えば、高級感のある装飾を施した紙のシートを前記シートＡの外側に重ね合わせることにより室内インテリア用の装飾として用いることができる。同様に、衝撃を吸収するシートを外側に重ねることにより、室外でも安全に飾ることができる。
【００２１】
本実施例に係る防水シートを含む２枚シートで構成されたラッピングシートを使用する場合は、鉢等の容器の底部中心をラッピングシートの折り目中心部４に合わせ、シート全体で鉢等の容器を覆い、その状態で手提用紐孔３から装飾紐６及び７を引き出すことにより、鉢等の容器に締め付ける。この状態を図７に示す。シートは無数のしわを伴って鉢等の容器を被覆し、紐孔２周辺より上方は外側に多少折れ曲がって装飾部を形成する。引き出した装飾紐６及び７は原則的に手提紐として用いることができるので、そのまま手荷物として持ち運ぶことが可能となる。なお、装飾紐６及び７は、包装対象物である植物によっては、該装飾紐６及び７の一部を結ぶ等することによって長さを調整するとともに、鉢等の容器の結び目装飾としても用いることができる。この状態を図８に示す。実際の作業は鉢等の容器を置いて、包み、紐を引き出すことだけで済むため、ラッピングの作業効率は飛躍的に高まると同時に、鉢等の容器に高度な装飾を施したラッピングを技術に関係なく大量にできることとなる。
【産業上の利用可能性】
【００２２】
本考案は、植物だけでなく、その他の容器の包装や装飾にも応用して使うことができる。
【図面の簡単な説明】
【００２３】
【図１】シートの基本構造を表した図である。
【図２】シートを２枚重ね合わせた図である。
【図３】装飾紐６及び７を交差させて結んだ状態を示した図である。
【図４】完成したラッピングシートの平面図である。
【図５】シートを折り畳んだ場合の状態を表した図である。
【図６】完成したラッピングシートの斜視図である。
【図７】鉢等の容器を包んで装飾紐６及び７を引き出した状態の図である。
【図８】装飾紐６及び７を結んで装飾化した状態の図である。
【符号の説明】
【００２４】
Ａ  ラッピングシートのシート部                                                  Ｂ  ラッピングシートの防水シート部                                              １  外周装飾部                                                                  ２  紐孔                                                                        ３  手堤用紐孔                        
４  折り目中心部                                                                ５  折り目                                                                      ６  装飾紐                                                                      ７  装飾紐                                                                      ８  装飾紐の交錯部                                                              ９  引き出した装飾紐による手堤部                                                
【図１】
0003152112.tif 000003
【図２】
0003152112.tif 000004
【図３】
0003152112.tif 000005
【図４】
0003152112.tif 000006
【図５】
0003152112.tif 000007
【図６】
0003152112.tif 000008
【図７】
0003152112.tif 000009
【図８】
0003152112.tif 000010
【手続補正書】
【提出日】平成21年1月29日(2009.1.29)
【手続補正１】
【補正対象書類名】実用新案登録請求の範囲
【補正対象項目名】全文
【補正方法】変更
【補正の内容】
【実用新案登録請求の範囲】
【請求項１】
中心から放射状に設けられた折り目と、任意の位置に複数配設された紐孔とを具備する外周端部を装飾形状化した円形、又は多角形の一枚のシートと、前記シートの表面と裏面を交互に入れ替わるように前記紐孔にそれぞれ挿通された一対の紐とから構成されていることを特徴とする容器用手提付ラッピングシート。    
【請求項２】
中心から放射状に設けられた折り目と、任意の位置に複数配設された紐孔とを具備する外周端部を装飾形状化した円形、又は多角形の複数枚のシートと、前記シートの表面と裏面を交互に入れ替わるように前記紐孔にそれぞれ挿通された一対の紐とから構成されていることを特徴とする容器用手提付ラッピングシート。    
【請求項３】
中心から放射状に設けられた折り目と、任意の位置に複数配設された紐孔とを具備する外周端部を装飾形状化した円形、又は多角形の複数枚のシートを、前記各紐孔がそれぞれ連通するように重ね合わせ、該重ね合ったシートの表面と裏面を交互に入れ替わるように前記連通した各紐孔に一対の紐をそれぞれ挿通したことを特徴とする容器用手提付ラッピングシート。  
【請求項４】
前記紐孔のうち、手提部分となる紐を挿通する部位である一対の手提用紐孔であることを特徴とする請求項１から３までのいずれか１項に記載の容器用手提付ラッピングシート。
【請求項５】
前記紐孔は、円形に配設されていることを特徴とする請求項１から４までのいずれか１項に記載の容器用手提付ラッピングシート。      
【請求項６】
前記複数枚のシートは、２枚であることを特徴とする請求項２から５までのいずれか１項に記載の容器用手提付ラッピングシート。
【請求項７】
前記複数枚のシートは、少なくとも１枚が防水加工されていることを特徴とする請求項２から６までのいずれか１項に記載の容器用手提付ラッピングシート。
【手続補正２】
【補正対象書類名】明細書
【補正対象項目名】全文
【補正方法】変更
【補正の内容】
【考案の詳細な説明】
【技術分野】
【０００１】
本考案は、鉢植えを始めとする花瓶、その他植物類を植える容器に使用するラッピングシートに関する。
【背景技術】
【０００２】
花を販売する小売店において鉢植えをラッピングする際、包装資材のカットや飾り付けに個々の店員の技量によって見栄えに差が生じることや、作業効率の向上、コストの低減を図る上で、最初からカット、装飾を施してセット化し、簡易に鉢や花束を包装できるようにしたラッピングシートが用いられるようになり、これらについては下記の特許文献のように種々開発されている。
【先行技術文献】
【特許文献】
【０００３】
【特許文献１】実用新案登録第３１２００９０号公報
【０００４】
上記特許文献に係る考案は、複数に重ねた角型のシートを折り込むことによって、鉢の底部を収納する部分と装飾する部分を形成し、前記収納部分に鉢を収納して簡素な装飾を行うラッピングシートであり、小売の際の包装用に用いるものである。
【０００５】
しかしながら、上記文献に係るラッピングシートは植木鉢を持ち帰るまでの防水、汚れ、破損を防止するのが主たる目的であり、購入者が持ち帰る際には該ラッピングシートに加えて別途取手部分のあるビニール袋に入れることを要し、また、植木鉢に固定させるには包装した後にリボンやコードで結ぶ必要があり、ラッピングの手間は依然残っていた。さらに、植木鉢を室内等のいずれかに載置する際にはこのようなラッピングシートは原則として取り外し、その後も装飾として用いることはほとんどない、いわゆる使い捨て用の物となっていた。  
【０００６】
さらに、鉢には号単位のサイズが存在するが、上記文献に係るラッピングシートでは、各号のサイズ毎に合わせた収納部をあらかじめ折り込んでおかなければならない。また、一つのシートで数号分のサイズをまかなうことはできない。さらにまた、防水を目的とするため、複数のシートの内いずれか一枚は防水対策のシートを重ねて用いるが、この「重ね」の手段は接着であり、例え現在の技術において接着が容易であるとしても生産段階においてこのような余分な工程は削除した方が生産効率は良い。
【考案の概要】
【考案が解決しようとする課題】
【０００７】
本考案は、上記のような問題を解決すべく考案されたもので、円形、又は多角形のシートに円形状に複数配設された紐孔に、手提可能程度の強度を有する装飾紐を挿通させた構造とすることにより、従来のラッピングシートの効果である鉢の収納、装飾、防水に加え、手提としても用いることができるラッピングシートを提供するものである。
【課題を解決するための手段】
【０００８】
上記目的を達成するために、本考案に係る容器用手提付ラッピングシートの第１の特徴は、中心から放射状に設けられた折り目と、任意の位置に複数配設された紐孔とを具備する外周端部を装飾形状化した円形、又は多角形の一枚のシートと、前記シートの表面と裏面を交互に入れ替わるように前記紐孔にそれぞれ挿通される一対の紐とから構成されているにある。  
【０００９】
また、本考案に係る容器用手提付ラッピングシートの第２の特徴は、中心から放射状に設けられた折り目と、任意の位置に複数配設された紐孔とを具備する外周端部を装飾形状化した円形、又は多角形の複数枚のシートと、前記シートの表面と裏面を交互に入れ替わるように前記紐孔にそれぞれ挿通される一対の紐とから構成されていることにある。  
【００１０】
さらに、本考案に係る容器用手提付ラッピングシートの第３の特徴は、中心から放射状に設けられた折り目と、任意の位置に複数配設された紐孔とを具備する外周端部を装飾形状化した円形、又は多角形の複数枚のシートを、前記各紐孔がそれぞれ連通するように重ね合わせ、該重ね合ったシートの表面と裏面を交互に入れ替わるように前記連通した各紐孔に一対の紐をそれぞれ挿通したことにある。  
【００１１】
さらにまた、本考案に係る容器用手提付ラッピングシートの第４の特徴は、前記第１から第３までの特徴のいずれかにおいて、前記紐孔の一部が、手提部分となる紐を挿通する部位である手提用紐孔であって、互いに対称となる２ヶ所に一対づつ形成されていることにある。  
【００１２】
また、本考案に係る容器用手提付ラッピングシートの第５の特徴は、前記第１から第４までの特徴のいずれかにおいて、前記紐孔が、円形に配設されていることにある。  
【００１３】
さらに、本考案に係る容器用手提付ラッピングシートの第６の特徴は、前記第２から第５までの特徴のいずれかにおいて、前記複数枚のシートが、２枚であることにある。  
【００１４】
さらにまた、本考案に係る容器用手提付ラッピングシートの第７の特徴は、前記第２から第５までの特徴のいずれかにおいて、前記複数枚のシートのうち少なくとも１枚が防水加工されていることにある。
【考案の効果】
【００１５】
本考案は、上記の如く構成されているので、ラッピング技術に左右されず、誰もが同じ外観に仕上げることができるほか、手提げ袋として用いることが可能となる。また、通常は別個にリボン等の紐状の装飾を加工、取り付けする必要があるが、本考案に係るラッピングシートは装飾を兼ねた紐が常備されているので、ラッピングがより迅速なものになる。さらに、本考案に係るラッピングシートは、容器を包み込んでその容器の外形に合わせて収納部を完成させることができるため、植木鉢のみならず、花瓶、皿等の類似する形態の容器にも利用することができ、シートで包み込める範囲内のものであれば包み込む容器の形状に関係なく、また、異なるサイズの容器にも用いることができる。さらにまた、鉢等を収納した場合、無数のしわが表面に表れる状態となるため装飾的効果が大変高く、持ち帰り時という一時的な使用に留まらず、その後も室内等に載置する際、ラッピングされた状態のままで鉢等の装飾として用いることができる。また、ラッピングシートに設けられた紐孔に新たに紐等を追加してこれらを組み合わせることにより、係る組み合わせた紐を鉢等のハンガーとして用いることができるため、室内、室外においてスタンド等に結びつけて空中ガーデニングを楽しめる。さらに、本考案に係るラッピングシートは裁断した数枚のシートを重ねて紐で固定するという構造であるため、接着個所を有しないことから生産も容易に行える。
【考案を実施するための形態】
【００１６】
以下、本考案の実施形態につき、添付図面を参照して詳細に説明する。
【実施例１】
【００１７】
図１は本考案に係るラッピングシートのシート部Ａを表したものである。図１において１は外周装飾部、２は紐孔、３は手提用紐孔、４は折り目中心部、５は前記中心部４から放射状に形成された折り目を示している。シート部Ａは、本件考案の主要分を構成するシートで、鉢等の容器を包んだ場合、これらの外形に沿った形状に自由に変形する。この際、無数のしわを伴って包装としての装飾美を発揮する。本シート部Ａは、基本的に円形の形状からなり、これに近い形状の６角形や８角形等の多角形にしてもよい。また、その外周端部には外周装飾部１を備えている。この外周装飾部１は、シートのカッティングの際に形成されるもので、本実施例においては波型に施されているが、その他各種の装飾的な形状が含まれる。また、このようなシートで包む方式であるため、シート部Ａで包み込める大きさの鉢等の容器であれば原則としてラッピングすることができる。
【００１８】
材質は原則として不織布を主としており、鉢等を包装した場合、外部からの衝撃を吸収、緩和し、内部の鉢等の破損を防止する。その他、ちぎれ、切り裂きに対して耐久力を有する材料によるシートも含まれる。本シート部Ａは、装飾を兼ねることもできるため、前提として全体にオレンジ、紫、緑等の各色彩を有するものであることが望ましい。また、その他の色彩模様、立体的模様を必要に応じて付することもでき、紐孔２を境にして、該紐孔２から上部は唐草等の立体的模様とし、下部は色彩模様と分けることもできる。
【００１９】
紐孔２は、装飾紐６、及び７を挿通させるためのもので、本実施例における紐孔２は、図１にあるように折り目中心部４を中心として円状に配設されており、鉢等の容器に対して結び目の高さを規定する。手提用紐孔３は、手提部９になる紐を挿通する部位に該当し、図１においては二つの孔を一対のものとして用い、これと対称の位置にもう１箇所設けられている。該手提用紐孔３から引き出された紐が手提部９となるとともに、紐の他の部分が鉢等の容器を引き締めることとなる。なお、手提用紐孔３は、本実施例においては別個に設けられているが、特段に設けなくとも各紐孔２間から紐を引き出せばある程度同様の効果を発揮できるので、必ずしも必要となるものではない。また、各紐孔２は、規則的に配列される必要はなく、任意の場所に複数設け、紐を通す際に選択するようにしても良い。なお、各紐孔２はそれぞれ対称となる紐孔を有するように形成されていることが望ましい。
【００２０】
本考案に係るラッピングシートは、折り目中心部４、及び、折り目５を具備し、折り目中心部４は鉢等を収納する際、鉢の中心とラッピングシートの中心を合わせるための目印となる。折り目５は折り目に沿って折り込むと扇形状に折り畳むことができるように施されており、本実施例では図５に示すように８分の１の扇形状になるように折り目５が施されている。これによって普段はコンパクトに折り畳んで保存することができる。この折り目の本数は任意である。折り目５は、鉢等の容器を収納する際のしわ目にもなるため、紐孔２の位置によっては全体の装飾的効果に大きく影響を与える。そのため、紐孔２を折り目５に沿って設けたり、逆に折り目５とは無関係に施すことにより、全体のしわの構成に変化を与えることができ、目的によって調整する。
【００２１】
装飾紐６及び７は、図３及び図４に示すように、表面と裏面で交互に入れ替わるように紐孔２にそれぞれ挿通されていて、双方の手提用紐孔３から出ている手提部９はそれぞれ別個の装飾紐６、７となっている。そして、手提部９を引っ張ると、シートＡは袋状になって装飾紐６、７が引き締まり、中に鉢植えがある場合には、それを固定する。
【００２２】
本考案に係るラッピングシートは、前記のシート一枚でも完成することができるが、目的を異にする他のシートを重ねて複数枚で完成することもできる。図２において、シート部Ｂは防水を目的としたフィルムシートであり、前記シート部Ａと２枚重ねて使用することにより、鉢植えの水漏れに対する防水効果を発揮し、輸送中でも水が漏れて衣服等を汚すことはない。当該シートＢには、シートＡと同位置に紐孔２及び手提用紐孔３が設けられていて、それらを重ね合わせた際に、シートＡ、Ｂの各紐孔２及び手提用紐孔３がそれぞれ連通するようになっている。複数枚のシートの重ね合わせによる一体化は、装飾紐６及び７の２本の紐を重ね合ったシートＡ及びＢの前記各紐孔２及び手提用紐孔３に挿通することにより行い、両者を接着剤を用いて接着するようなことは要しない。図３は、２枚のシートが結びつけられている様子を示したものであり、１枚の場合と比べ装飾紐６及び７のシートへの取り付け方法が特に変わるものではない。図中、８は装飾紐６及び７がそれぞれ交差する交差部を表したものである。
【００２３】
このようにして、目的を異にする複数のシートを容易に重ね合わせることができ、例えば、高級感のある装飾を施した紙のシートを前記シートＡの外側に重ね合わせることにより室内インテリア用の装飾として用いることができる。同様に、衝撃を吸収するシートを外側に重ねることにより、室外でも安全に飾ることができる。
【００２４】
本実施例に係る防水シートを含む２枚のシートで構成されたラッピングシートを使用する場合は、鉢等の容器の底部中心をラッピングシートの折り目中心部４に合わせ、シート全体で鉢等の容器を覆い、その状態で手提用紐孔３から装飾紐６及び７を引き出すことにより、鉢等の容器を装飾紐６及び７にて締め付ける。この状態を図７に示す。シートは無数のしわを伴って鉢等の容器を被覆し、紐孔２周辺より上方は外側に多少折れ曲がって装飾部を形成する。引き出した装飾紐６及び７は原則的に手提紐として用いる
ことができるので、そのまま手荷物として持ち運ぶことが可能となる。なお、装飾紐６及び７は、包装対象物である植物によっては、該装飾紐６及び７の一部を結ぶ等することによって長さを調整するとともに、鉢等の容器の結び目装飾としても用いることができる。この状態を図８に示す。実際の作業は鉢等の容器を置いて、包み、紐を引き出すことだけで済むため、ラッピングの作業効率は飛躍的に高まると同時に、鉢等の容器に高度な装飾を施したラッピングを技術に関係なく大量にできることとなる。
【産業上の利用可能性】
【００２５】
本考案は、植物だけでなく、その他の容器の包装や装飾にも応用して使うことができる。
【図面の簡単な説明】
【００２６】
【図１】シートの基本構造を表した平面図である。
【図２】シートを２枚重ね合わせた状態を表した斜視図である。
【図３】装飾紐６及び７を交差させて結んだ状態を示した側面図である。
【図４】装飾紐を通して完成させたラッピングシートの平面図である。
【図５】シートを折り畳んだ場合の状態を表した図である。
【図６】シートを２枚重ね合わせた状態で装飾紐を通して完成させたラッピングシートの斜視図である。
【図７】鉢等の容器を包んで装飾紐６及び７を引き出した状態を表した図である。
【図８】引き出した装飾紐６及び７を結んで装飾化した状態を表した図である。
【符号の説明】
【００２７】
Ａ  ラッピングシートのシート部                                                  Ｂ  ラッピングシートの防水シート部                                              １  外周装飾部                                                                  ２  紐孔                                                                        ３  手堤用紐孔                                                                  ４  折り目中心部                                                                ５  折り目                                                                      ６  装飾紐                                                                      ７  装飾紐                                                                      ８  装飾紐の交差部                                                              ９  引き出した装飾紐による手堤部                                                
【手続補正３】
【補正対象書類名】図面
【補正対象項目名】図４
【補正方法】変更
【補正の内容】
【図４】
0003152112.tif 000011
【手続補正４】
【補正対象書類名】図面
【補正対象項目名】図６
【補正方法】変更
【補正の内容】
【図６】
0003152112.tif 000012
【手続補正書】
【提出日】平成21年5月18日(2009.5.18)
【手続補正１】
【補正対象書類名】実用新案登録請求の範囲
【補正対象項目名】請求項４
【補正方法】変更
【補正の内容】
【請求項４】
前記紐孔の一部は、手提部分となる紐を挿通する部位である手提用紐孔であって、互いに対称となる２ヶ所に一対づつ形成されていることを特徴とする請求項１から３までのいずれか１項に記載の容器用手提付ラッピングシート。